(57)【要約】      （修正有）【課題】５０面を有する積み木及びこれを用いた積み木セットを提供する。【解決手段】積み木は球体を基本形状とし球体の表面が頂部から底部まで合計７段に分けられ、各段に所定形状の平面が所定数形成されて、全体として５０の平面を有するユニット１０からなる。積み木セットは１２個の形態の異なる積み木を備え、これらの積み木がそれぞれ、４箇又は５個のユニット１０からなり、隣り合う各ユニット１０の間が短い首形状のつなぎ部１１によりつなぎ合わせられて、合計５６個のユニット１０で構成される。これらの積み木により、６段又は５段構成の四面三角錐体を作る。【選択図】図４
0003167574.tif 000002
【実用新案登録請求の範囲】
【請求項１】
少なくとも一つのユニットにより構成され、
前記ユニットは、球体を基本形状とし、球体の表面が頂部から底部まで合計７段に分けられ、各段に所定形状の平面が所定数形成されて、全体として５０の平面を有し、
第１段は頂部で、六辺形の平面が１面だけ形成され、
第２段は第１段の平面の下で第３段に形成される各平面の上に、五辺形の平面が合計６面形成され、
第３段は第２段の各平面の下で第４段に形成される各平面の上に、五辺形の平面が相互に隣り合う２面を１組とし左右対称にして合計１２面形成され、
第４段は第３段の各平面の下で第５段に形成される各平面の上に、六辺形の平面が合計１２面形成され、
第５段は第４段の各平面の下で第６段に形成される各平面の上に、第３段の各平面と同じ形状の五辺形の平面が第３段の各平面と上下対称に合計１２面形成され、
第６段は第５段の各平面の下で第７段に形成される平面の上に、第２段の各平面と同じ形状の五辺形の平面が第２段の各平面と上下対称に合計６面形成され、
第７段は底部で、第６段の各平面の下に、六辺形の平面が１面だけ、前記第１段の平面と上下対称に形成される、
ことを特徴とする５０面を有する積み木。
【請求項２】
第１段の平面は水平面で、当該平面の相互に隣り合う各辺のなす挟み角が６つあり、これら６つの挟み角の角度（δ１、δ２、δ３、δ４、δ５、δ６）は１２０度になり、第２段の各平面は当該各平面と水平面との間のなす角度（θ１）が３５．２５度で、当該各平面の相互に隣り合う各辺のなす挟み角が５つあり、これら５つの挟み角は、前記第１段の平面の各辺に対応する各第１の辺と当該各第１の辺から下方向に延びる各第２の辺とのなす挟み角の角度（α１、α２）が＝１１５．２４度、各第２の辺と当該各第２の辺から下方に延びる各第３の辺とのなす挟み角の角度（α３、α４）が９２．９９度、各第３の辺のなす挟み角の角度（α５）が１２３．５３度になり、第３段の各平面は当該各平面と水平面との間のなす角度θ２が６２度で、当該各平面の相互に隣り合う各辺のなす挟み角が５つあり、これら５つの挟み角は、前記第２段の平面の各第３の辺に対応する各第１の辺と当該各第１の辺から下方向に延びる各第２の辺とのなす挟み角の一方の角度（β１）が７９．１６度、他方の角度（β２）が１１５．１８度、各第２の辺と当該各第２の辺から下方に延びる各第３の辺とのなす挟み角の角度（β３、β４）が１１２．５５度、各第３の辺のなす挟み角の角度（β５）が１２０．５７度になり、第４段の各平面は当該各平面と水平面との間のなす角度（θ３）が９０度で、当該各平面の相互に隣り合う各辺のなす挟み角が６つあり、これら６つの挟み角は、前記第３段の平面の各第３の辺に対応する各第１の辺のなす挟み角の角度（γ１）が１２８．０８度、各第１の辺と当該各第１の辺から下方に延びる各第２の辺とのなす挟み角、及び各第２の辺と当該各第２の辺から下方に延びる各第３の辺とのなす挟み角の角度（γ２、γ３、γ４、γ５）がそれぞれ１１５．９６度、各第３の辺のなす挟み角の角度（γ６）が１２８．０８度になり、第５段の各平面は前記第３段の各平面と上下対称で、当該各平面と水平面との間のなす角度（θ２）、当該各平面の相互に隣り合う各辺のなす挟み角の角度（β１、β２、β３、β４、β５）がそれぞれ、前記第３段の各平面と同じになり、第６段の各平面は前記第２段の各平面と上下対称で、当該各平面と水平面との間のなす角度（θ１）、当該各平面の相互に隣り合う各辺のなす挟み角の角度（α１、α２、α３、α４、α５）がそれぞれ、前記第２段の各平面と同じになり、第７段の平面は前記第１段の平面と上下対称の水平面で、当該平面の相互に隣り合う各辺のなす挟み角の角度（δ１、δ２、δ３、δ４、δ５、δ６）が前記第１段の平面と同じになる、請求項１に記載の５０面を有する積み木。
【請求項３】
請求項１又は２に記載の積み木であって１２個の形態の異なる積み木（Ａ〜Ｌ）を備え、
これらの積み木（Ａ〜Ｌ）はそれぞれ、４箇又は５個のユニット（１０）からなり、隣り合う各ユニット（１０）の間が短い首形状のつなぎ部（１１）によりつなぎ合わせられて、合計５６個のユニット（１０）により構成され、
これらの積み木（Ａ〜Ｌ）はそれぞれ、直線的に連結された２個乃至４箇のユニット（１０）のいずれかに残りのユニット（１０）が、当該直線的に連結された２個乃至４箇のユニット（１０）の中心を通る直線に対して所定の方向に所定の角度の挟み角で斜めに連結され、
積み木（Ａ）は５個のユニットからなり、第１ユニット（ａ１）〜第３ユニット（ａ３）がそれぞれ左から右に向けて順に直線状に連結され、残りの第４ユニット（ａ４）が左端の第１ユニット（ａ１）に対して左斜め上方に挟み角６０度に斜めに連結され、残りの第５ユニット（ａ５）が中間の第２ユニット（ａ２）と右端の第３ユニット（ａ３）の間の下方となる、中間の第２ユニット（ａ２）に対して右斜め下方に挟み角６０度に斜めに連結され、
積み木（Ｂ）は５個のユニットからなり、第１ユニット（ｂ１）〜第３ユニット（ｂ３）がそれぞれ左から右に向けて順に直線状に連結され、残りの第４ユニット（ｂ４）、第５ユニット（ｂ５）がそれぞれ左から右に向けて順に直線状に連結され、かつ第４ユニット（ｂ４）が左端の第１ユニット（ｂ１）に対して左斜め上方に挟み角６０度に斜めに、第５ユニット（ｂ５）が左端の第１ユニット（ｂ１）と中間の第２ユニット（ｂ２）の間の上方となる、中間の第２ユニット（ｂ２）に対して左斜め上方に挟み角６０度に斜めにそれぞれ連結され、
積み木（Ｃ）は５個のユニットからなり、第１ユニット（ｃ１）〜第３ユニット（ｃ３）がそれぞれ左から右に向けて順に直線状に連結され、残りの第４ユニット（ｃ４）、第５ユニット（ｃ５）がそれぞれ直線状に連結され、かつ第４ユニット（ｃ４）が右端の第３ユニット（ｃ３）に対して右斜め上方に挟み角６０度に斜めに、第５ユニット（ｃ５）が当該第４ユニット（ｃ４）に対して右斜め上方に挟み角６０度に斜めにそれぞれ連結され、
積み木（Ｄ）は５個のユニットからなり、第１ユニット（ｄ１）〜第４ユニット（ｄ４）がそれぞれ左から右に向けて順に直線状に連結され、残りの第５ユニット（ｄ５）が右側の第３ユニット（ｄ３）と第４ユニット（ｄ４）の間の上方となる、右端の第４ユニット（ｄ４）に対して左斜め上方に挟み角６０度に斜めに連結され、
積み木（Ｅ）は５個のユニットからなり、第１ユニット（ｅ１）〜第３ユニット（ｅ３）がそれぞれ左から右に向けて順に直線状に連結され、残りの第４ユニット（ｅ４）、第５ユニット（ｅ５）がそれぞれ左から右に向けて順に直線状に連結され、かつ第４ユニット（ｅ４）が左端の第１ユニット（ｅ１）と中間の第２ユニット（ｅ２）の間の上方となる、中間の第２ユニット（ｅ２）に対して左斜め上方に挟み角６０度に斜めに、第５ユニット（ｅ５）が中間の第２ユニット（ｅ２）と右端の第３ユニット（ｅ３）の間の上方となる、右端の第３ユニット（ｅ３）に対して左斜め上方に挟み角６０度に斜めにそれぞれ連結され、
積み木（Ｆ）は５個のユニットからなり、第１ユニット（ｆ１）〜第４ユニット（ｆ４）がそれぞれ左から右に向けて順に直線状に連結され、残りの第５ユニット（ｆ５）が中間の第２ユニット（ｆ２）と第３ユニット（ｆ３）の間の上方となる、中間の第４ユニット（ｆ３）に対して左斜め上方に挟み角６０度に斜めに連結され、
積み木（Ｇ）は５個のユニットからなり、第１ユニット（ｇ１）〜第３ユニット（ｇ３）がそれぞれ左から右に向けて順に直線状に連結され、残りの第４ユニット（ｇ４）が左端の第１ユニット（ｇ１）と中間の第２ユニット（ｇ２）の間の上方となる、中間の第２ユニット（ｇ２）に対して左斜め上方に挟み角６０度に斜めに連結され、残りの第５ユニット（ｇ５）が右端の第３ユニット（ｇ３）に対して右斜め上方に挟み角６０度に斜めに連結され、
積み木（Ｈ）は５個のユニットからなり、第１ユニット（ｈ１）〜第３ユニット（ｈ３）がそれぞれ左から右に向けて順に直線状に連結され、残りの第４ユニット（ｈ４）、第５ユニット（ｈ５）がそれぞれ直線状に連結され、かつ第４ユニット（ｈ４）が中間の第２ユニット（ｈ２）と右端の第３ユニット（ｈ３）の間の上方となる、右端の第３ユニット（ｈ３）に対して左斜め上方に挟み角６０度に斜めに、第５ユニット（ｈ５）が当該第４ユニット（ｈ４）に対して左斜め上方に挟み角６０度に斜めにそれぞれ連結され、
積み木（Ｉ）は４個のユニットからなり、第１ユニット（ｉ１）〜第３ユニット（ｉ３）がそれぞれ左から右に向けて順に直線状に連結され、残りの第４ユニット（ｉ４）が右端の第３ユニット（ｉ３）に対して右斜め上方に挟み角６０度に斜めに連結され、
積み木（Ｊ）は４個のユニットからなり、第１ユニット（ｊ１）、第２ユニット（ｊ２）がそれぞれ左から右に向けて順に直線状に連結され、残りの第３ユニット（ｊ３）、第４ユニット（ｊ４）がそれぞれ直線状に連結され、かつ第３ユニット（ｊ３）が右端の第２ユニット（ｊ２）に対して右斜め上方に挟み角６０度に斜めに、第４ユニット（ｊ４）が当該第３ユニット（ｊ３）に対して右側に直線的にそれぞれ連結され、
積み木（Ｋ）は４個のユニットからなり、第１ユニット（ｋ１）、第２ユニット（ｋ２）がそれぞれ左から右に向けて順に直線状に連結され、残りの第３ユニット（ｋ３）、第４ユニット（ｋ４）がそれぞれ左から右に向けて順に直線状に連結され、かつ第３ユニット（ｋ３）が左端の第１ユニット（ｋ１）と右端の第２ユニット（ｋ２）の間の上方となる、左端の第１ユニット（ｋ１）に対して右斜め上方に挟み角６０度に斜めに、第４ユニット（ｋ４）が右端の第２ユニット（ｋ２）に対して右斜め上方に挟み角６０度に斜めにそれぞれ連結され、
積み木（Ｌ）は４個のユニットからなり、第１ユニット（ｌ１）〜第３ユニット（ｌ３）がそれぞれ左から右に向けて順に直線状に連結され、残りの第４ユニット（ｌ４）が中間の第２ユニット（ｌ２）と右端の第３ユニット（ｌ３）の間の上方となる、右端の第３ユニット（ｌ３）に対して左斜め上方に挟み角６０度に斜めにそれぞれ連結され、
これら１２個の積み木（Ａ〜Ｌ）を積み重ねるための、上面全体に合計２１個の位置決め孔（２１）を有する第１トレー（２０ａ）を併せて備え、
これら１２個の積み木（Ａ〜Ｌ）、合計５６個のユニットにより、三角形の底面の三辺がそれぞれ６個のユニットからなる、合計６段の構成の四面三角錐体を作る、
ことを特徴とする積み木セット。
【請求項４】
１２個の積み木（Ａ〜Ｌ）から選び出された７個の積み木（Ａ〜Ｇ）を積み重ねるための、上面全体に合計１５個の位置決め孔（２１）を有する第２トレー（２０ｂ）を併せて備え、これら７個の積み木（Ａ〜Ｇ）、合計３５個のユニットにより、三角形の底面の三辺がそれぞれ５個のユニットからなる、合計５段の構成の四面三角錐体を作る、請求項３に記載の積み木セット。
【考案の詳細な説明】
【技術分野】
【０００１】
本考案は、知育玩具として使用する５０面を有する積み木及びこれを用いた積み木セットに関する。
【背景技術】
【０００２】
従来の積み木はどれも、複数のユニットからなり、ユニットの形は方形、球形（球体）、板形などがある。そのうち、球体ユニットが最も安全なものである。この種の積み木が特許文献１〜４などにより提案されている。
【先行技術文献】
【特許文献】
【０００３】
【特許文献１】台湾公開番号ＴＷ ３９８３１３（または米国公開番号ＵＳ ６，２２０，９１９）
【特許文献２】台湾公開番号ＴＷ Ｍ３６２７１４（または米国公開番号ＵＳ ２１０／０２３７５６１）
【特許文献３】米国公開番号ＵＳ ７１４０６１２
【特許文献４】台湾公開番号ＴＷ Ｍ３７２２０７
【考案の概要】
【考案が解決しようとする課題】
【０００４】
しかしながら、従来の積み木では、特に球体ユニットの場合、次のような課題がある。
（１）球体ユニットを重ねて所定の形を作る場合、球体ユニット同士が点で接触されるため、球体ユニットに触れたり振動が伝わったりすると、球体ユニットは滑り落ちることになる。そこで、球体ユニットの安定性を向上させることが、本考案の解決すべき主たる課題である。
（２）球体ユニットを平面上に積み重ねようとすると、球体ユニットと平面との接触が点の接触になるために、球体ユニットの積み重ねが難しく、このため、位置決め孔を有するトレーを用い、その上に球体ユニットを積み重ねていく必要がある。このトレーがなければ、球体ユニットは積み重ねにくい。そこで、トレーがない場合でも、球体ユニットを安定して積み重ねていくことが、本考案の解決すべきもう一つの課題である。
（３）球体ユニットの積み木で三角錐体を積み重ねるときに、積み木を単独では立てにくく、また斜めに置くことができないため、他の積み木で支えなければならない。このとき、積み木の置く角度を間違えても、プレイヤーはそれに簡単には気づかない。そこで、積み木で遊ぶときの失敗率を低減させるために、積み木の位置決めを向上させる必要があり、これが本考案の解決すべきまたもう一つの課題である。さらに、球体ユニットの積み木を手で取ると滑りやすく、その滑り止め効果を向上させることも、本考案の解決すべき課題である。
（４）積み木の挟み角に関して本願考案者の発明が特許文献１に開示されている。この文献１では積み木ユニットの間のつなぎ角度が９０度または４５度の場合が示されている。図１に示す形状の異なる１８個の積み木はそれぞれ、３〜６個の球体ユニットからなり、球体ユニットの間の挟み角は９０度である。図１６に示すのは、４積み木の積み重ねによる三段の五面ピラミッド、図１７に示すのは、７積み木の積み重ねによる四段の五面ピラミッド、図１８及び図１９に示すのは、１２積み木の積み重ねによる五段の五面ピラミッドである。このように五面のピラミッド（周囲の４面と底部の１面からなる金字塔）を作ることができる。しかしながら、四面のピラミッド（周囲の３面と底部の１面からなる金字塔）を作ることができない。そこで、積み木を四面三角錐体に積み重ねるようにすることが、本考案の解決すべきさらにもう一つの課題である。
（５）この種の積み木に関する発明が特許文献２に開示されている。この文献２では、図７に示すような形状の異なる１１個の積み木がそれぞれ、３〜５個の球体ユニットからなり、球体ユニットの間の挟み角が４５度で、トレーの上に並べられる。この場合、積み木はトレーの上に平らに並べられるだけで、立体的に積み重ねることができない。そこで、このような積み木をどのようにして立体的に積み重ねていくかが本考案の解決すべきさらにもう一つの課題である。
（６）その他の積み木に関連する発明が特許文献３に開示されている。この文献３では、形状の異なる１２個の積み木が各積み木ユニットを９０度の挟み角でつなぎ合わせてなり、図１９に示すような立体の四段五面の金字塔が組み立てられる。この文献３には、立体の四面三角錐体は掲示されていない。そこで、既述のとおり、積み木を四面三角錐体に積み重ねるようにすることが、本考案の解決すべき課題である。
（７）また、本願考案者の考案が特許文献４に開示されている。この文献４では、図７に示すように、形状の異なる１２個の方形積み木をそれぞれ９０度の挟み角でつなぎ合わせてなる。図１８〜図２１に示すのは、５４ユニットからなる六段の四面三角錐体で、六段の四面三角錐体を作るとき、５６個のユニットが必要になるが、この考案では、トレー上の位置決め孔を２つ減らし、１９個の位置決め孔により、５４個のユニットをつなぎ合わせて、六段の四面三角錐体を作っている。
この文献４の積み木の特徴は、
１．１２個の方形積み木を備えること、
２．積み木が９０度の挟み角でつなぎ合わせられること、
３．１２個の積み木は５４個のユニットからなること、
４．トレーに１９個の位置決め孔が設けられること、
にある。
そこで、これとは異なる構成で、積み木を四面三角錐体に積み重ねるようにすることが、本考案の解決すべきさらにもう一つの課題である。
なお、上記１〜４の点と本願考案の特徴とを後述する実施の形態の欄の比較表で比較検討することとする。
（８）ウィキペディア（Wikipedia）には、５０面を有する積み木ユニットは掲示されていない。また、１２個の積み木（計５６ユニット）を６０度の挟み角でつなぎ合わせてなる６段の立体四面三角錐体も掲示されていない。それを達成することが、本考案の解決すべきさらにもう一つの課題である。
（９）１２個の積み木から一部の積み木を選んで、５段の四面三角錐体に積み重ねることも、一般に公開されていない。これを達成することも、本考案の解決すべきさらにもう一つの課題である。
【０００５】
本考案は、上記の各課題を解決すること、を目的とする。
【課題を解決するための手段】
【０００６】
上記目的を達成するために、本考案の５０面を有する積み木は次のような構成を備える。
該積み木は少なくとも、一つのユニット（１０）からなり、ユニット（１０）の表面は５０つの面があり、上部から底部まで７段に並べられ、各段の形状は、
１面だけあり、六辺形になる第１段、
第１段の下で、第３段の上にあり、計６面の五辺形になる第２段、
第２段の下で、第４段の上にあり、計１２面の五辺形になり、二面一組で、左右対称す  る第３段、
第３段の下で、第５段の上にある六辺形の第４段、
第４段の下で、第６段の上にあり、計１２面の五辺形になり、二面一組で左右対称し、  第３段と上下対称する第５段、
第５段の下で、第７段の上になり、計６面の五辺形になり、第２段と上下対称する第６  段、そして、
第６段の下で、１面だけある六辺形になり、第１段と上下対称する第７段からなる、ことを特徴とする。
この場合、
該第１、７段は水平面、第２、６段の各面と水平面の挟み角度（θ１）は３５．２５度、該第３、５段の各面と水平面の挟み角度（θ２）は６２度、該第４段の各面と水平面の挟み角度（θ３）は９０度になるが、
該第１、７段の面は６つの挟み角があり、角度はそれぞれ、
δ１＝δ２＝δ３＝δ４＝δ５＝δ６＝１２０度、
該第２、６段の各面は５つの挟み角があり、角度は
δ１＝δ２＝１１５．２４度、
δ３＝δ４＝９２．９９度、
δ５＝１２３．５３度となり、
該第３、５段の各面は５つの挟み角があり、角度は
β１＝７９．１６度、
β２＝１１５．１８度、
β３＝β４＝１１２．５５度
β５＝１２０．５７度となり、そして、
該第４段の各面は６つの挟み角があり、角度は
γ１＝γ６＝１２８．０９度、
γ２＝γ３＝γ４＝γ５＝１１５．９６度となる、
ことが好ましい。
【０００７】
また、上記目的を達成するために、本考案の積み木セットは次のような構成を備える。
該５０面の積み木計１２つで、２１つの位置決め孔（２１）がある第一トレー（２０ａ）に合わせてなるものであり、
該１２つの積み木（Ａ〜Ｌ）はそれぞれ異なった形があり、それらが重なって６段で、底辺に６ユニットがある四面三角錐体を構成するが、各積み木はどれも、４つまたは５つのユニット（１０）からなり、二つのユニット（１０）の間をショートネック（１１）でつなぎ合わせるが、該５ユニットの積み木は計８つ、４ユニットの積み木は計４つ、全部で５６ユニットがあるが、積み木はそれぞれ６０度の挟み角があり、その形状では、
積み木（Ａ）は５ユニットからなり、第１〜３ユニット（ａ１〜ａ３）は水平線でつながり、第４ユニット（ａ４）は第１ユニット（ａ１）の左上につながり、水平線と６０度の挟み角をなし、第５ユニット（ａ５）は、第２、３ユニット（ａ２、ａ３）の間の下方にあり、水平線と６０度の挟み角をなしているが、
積み木（Ｂ）は５ユニットからなり、第１〜３ユニット（ｂ１〜ｂ３）は水平線でつながり、第４、５ユニット（ｂ４、ｂ５）は直線でつながり、該水平線と平行しているが、第４ユニット（ｂ４）は第１ユニット（ｂ１）の左上につながり、水平線と６０度の挟み角をなし、第５ユニット（ｂ５）は第１、２ユニット（ｂ１、ａ２）の間の上方にあり、水平線と６０度の挟み角をなしているが、
積み木（Ｃ）は５ユニットからなり、第１〜３ユニット（ｃ１〜ｃ３）は水平線でつながり、第３〜５ユニットは直線でつながっているが、第４ユニット（ｃ４）は第３ユニット（ｃ３）の右上につながり、水平線と６０度の挟み角をなし、第５ユニット（ｃ５）は第４ユニット（ｃ５）の右上につながり、水平線と６０度の挟み角をなしているが、
積み木（Ｄ）は５ユニットからなり、第１〜４ユニット（ｄ１〜ｄ４）は水平線でつながり、第５ユニット（ｄ５）は第３、４ユニット（ｄ３、ｄ４）の間の上方につながり、水平線と６０度の挟み角をなしているが、
積み木（Ｅ）は５ユニットからなり、第１〜３ユニット（ｅ１〜ｅ３）は水平線でつながり、第４、５ユニット（ｅ４、ｅ５）は直線でつながっているが、第４ユニット（ｅ４）は第１、２ユニット（ｅ１、ｅ２）の間の上方につながり、水平線と６０度の挟み角をなし、第５ユニット（ｅ５）は第２、３ユニット（ｅ２、ｅ３）の間の上方につながり、水平線と６０度の挟み角をなしているが、
積み木（Ｆ）は５ユニットからなり、第１〜４ユニット（ｆ１〜ｆ４）は水平線でつながり、第５ユニット（ｆ５）は第２、３ユニット（ｆ２、ｆ３）の間の上方につながり、水平線と６０度の挟み角をなしているが、
積み木（Ｇ）は５ユニットからなり、第１〜３ユニット（ｇ１〜ｇ３）は水平線でつながり、第４ユニット（ｇ４）は第１、第２ユニット（ｇ１、ｇ２）の間の上方につながり、水平線と６０度の挟み角をなし、第５ユニット（ｇ５）は第３ユニット（ｇ３）の右上につながり、水平線と６０度の挟み角をなし、第４、５ユニット（ｇ４、ｇ５）は同一直線にあり、水平線と平行しているが、
積み木（Ｈ）は５ユニットからなり、第１〜３ユニット（ｈ１〜ｈ３）は水平線でつながり、第３〜５ユニット（ｈ３〜ｈ５）は直線でつながっているが、第４ユニット（ｈ４）は第２、３ユニット（ｈ２、ｈ３）の間の上方につながり、水平線と６０度の挟み角をなし、第５ユニット（ｈ５）は第４ユニット（ｈ４）の左上につながり、水平線と６０度の挟み角をなしているが、
積み木（Ｉ）は４ユニットからなり、第１〜３ユニット（ｉ１〜ｉ３）は水平線でつながり、第４ユニット（ｉ４）は第３ユニット（ｉ３）の右上につながり、水平線と６０度の挟み角をなしているが、
積み木（Ｊ）は４ユニットからなり、第１、２ユニット（ｊ１、ｊ２）は水平線でつながり、第３、４ユニット（ｊ３、ｊ４）は直線でつながり、該水平線と平行しているが、第３ユニット（ｊ３）は第２ユニット（ｊ２）の右上にあり、水平線と６０度の挟み角をなし、第４ユニット（ｊ４）は第３ユニット（ｊ３）の右側につながっているが、
積み木（Ｋ）は４ユニットからなり、第１、２ユニット（ｋ１、ｋ２）は水平線でつながり、第３、４ユニットは直線でつながり、該水平線と平行しているが、第３ユニット（ｋ３）は第１、２ユニット（ｋ１、ｋ２）の間の上方にあり、水平線と６０度の挟み角をなし、第４ユニット（ｋ４）は第２ユニット（ｋ２）の右上にあり、水平線と６０度の挟み角をなしているが、また、
積み木（Ｌ）は４ユニットからなり、第１〜３ユニット（ｌ１〜ｌ３）は水平線でつながり、第４ユニット（ｌ４）は第２、３ユニット（ｌ２、ｌ３）の間の上方につながり、水平線と６０度の挟み角をなしている、
ことを特徴とする。
この場合、
該１２つの積み木（Ａ〜Ｌ）から７つの積み木（Ａ〜Ｇ）を選び出して、計３５ユニットがあり、１５つの位置決め孔（２１）がある第二トレー（２０ｂ）に合わせてなるが、それらが重なって５段で、底辺に５ユニットある四面三角錐体に設けられている、
ことが好ましい。
【考案の効果】
【０００８】
本考案は上記の構成により次のような効果を奏する。
（１）積み木ユニット（１０）の表面は５０面で、見た目がよく、積み重ねるとき安定して行われ、金型も簡単に作られ、コストが上がらないこと。
（２）積み重ねていくとき、ユニットの間は、第２段または第６段の各面を主な接触面とし、第１段または第７段の各面を各ユニットの間または平面の間と接触する面として用いられるが、斜めに積み重ねていくときにも、第３段または第５段の各面も用いられ、面の接触となるため、従来の球体積み木の点の接触より優れていること。
（３）本考案は、トレーと共に実施されるが、トレーがない場合でも、簡単に積み重ねられるので、簡単に滑り落ちたりしないこと。
（４）本考案のユニットは５０面あり、指との摩擦力が上がり、滑り止め効果につながること。
（５）本考案の１２個積み木（Ａ〜Ｌ）で６段の四面三角錐体を、７つの積み木（Ａ〜Ｇ）で５段の四面三角錐体を積み重ねて作られるから、困難度の異なった二種のゲーム機構を提供できること。
【図面の簡単な説明】
【０００９】
【図１】本考案の一実施の形態における５０面を有する積み木及びこれを用いた積み木セットを示す全体斜視図
【図２】同積み木セットのうち第１積み木セットの各積み木の平面図
【図３】同積み木セットのうち第２積み木セットの各積み木の平面図
【図４】同積み木セットの特に積み木（Ｉ）示す図（（ａ）は斜視図（ｂ）は平面図）
【図５】同積み木のユニットの５０面を説明するための図
【図６】同積み木セットの組み立て状態及びその組み立てに用いる第１トレーを示す斜視図
【図７】同積み木セットの組み立てに用いる第１トレーの平面図
【図８】同積み木セットを第１トレーを用いて組み立てた状態を示す斜視図
【図９】同積み木セットの組み立て状態の一例における各段の構成を示す平面図（Ｉは第１段の平面図、IIは第２段の平面図、IIIは第３段の平面図、IVは第４段の平面図、Ｖは第５段の平面図、VIは第６段の平面図）
【図１０】同積み木セットの組み立て状態の他の例における各段の構成を示す平面図（Ｉは第１段の平面図、IIは第２段の平面図、IIIは第３段の平面図、IVは第４段の平面図、Ｖは第５段の平面図、IVは第６段の平面図）
【図１１】同積み木セットの特に第１積み木セットの組み立て状態及びその組み立てに用いる第１トレーを示す斜視図
【図１２】同積み木セットの特に第１積み木セットを第１トレーを用いて組み立てた状態を示す斜視図
【図１３】同積み木セットの特に第１積み木セットの組み立て状態の一例における各段の構成を示す平面図（Ｉは第１段の平面図、IIは第２段の平面図、IIIは第３段の平面図、IVは第４段の平面図、Ｖは第５段の平面図、IVは第６段の平面図）
【図１４】同積み木セットの特に第１積み木セットの組み立て状態の他の例における各段の構成を示す平面図（Ｉは第１段の平面図、IIは第２段の平面図、IIIは第３段の平面図、IVは第４段の平面図、Ｖは第５段の平面図、VIは第６段の平面図）
【図１５】同積み木セットの特に第１積み木セットの組み立て状態及びその組み立てに用いる第２トレーを示す斜視図
【図１６】同積み木セットの組み立てに用いる第２トレーの平面図
【図１７】同積み木セットの特に第１積み木セットを第２トレーを用いて組み立てた状態を示す斜視図
【図１８】同積み木セットの積み木間の接触状態、及び積み木とトレー間の接触状態のイメージを示す断面図
【図１９】同積み木セットの積み木を積み重ねていくイメージを示す平面図
【図２０】同積み木セットの積み木をトレー上に斜めに立てた状態のイメージを示す断面図
【考案を実施するための形態】
【００１０】
次に、この考案を実施するための形態について図を用いて説明する。図１に５０面を有する積み木及びこれを用いた積み木セットを示している。図１に示すように、積み木は少なくとも一つのユニットにより構成される。このユニットは、図５に示すように、球体を基本形状とし、球体の表面が頂部から底部まで合計７段に分けられ、各段に所定形状の平面が所定数形成されて、全体として５０の平面を有する立体形状のブロックになっている。各段の平面の形状と数は次のとおりである。
第１段は頂部で、六辺形の平面が１面だけ形成される。この平面は水平面をなし、相互に隣り合う各辺のなす挟み角が６つあり、６つの挟み角の角度はそれぞれ１２０度、すなわちδ１＝δ２＝δ３＝δ４＝δ５＝δ６＝１２０度になっている。この平面はこのユニット１０が平面上に置かれる場合の、接触面として使用される。
第２段は第１段の平面の下で第３段に形成される各平面の上に、五辺形の平面が合計６面形成される。これらの平面はそれぞれ、当該各平面と水平面との間のなす角度θ１が３５．２５度で傾斜される。また、これらの平面はそれぞれ、相互に隣り合う各辺のなす挟み角が５つあり、５つの挟み角はそれぞれ、第１段の平面の各辺に対応する各第１の辺と当該各第１の辺から下方向に延びる各第２の辺とのなす挟み角の角度α１＝α２＝１１５．２４度、各第２の辺と当該各第２の辺から下方に延びる各第３の各辺とのなす挟み角の角度α３＝α４＝９２．９９度、各第３の辺のなす挟み角の角度α５＝１２３．５４度になっている。これらの平面はこのユニットが他のユニット１０と接触する場合の、主たる接触面として使用される。
第３段は第２段の各平面の下で第４段に形成される各平面の上に、五辺形の平面が相互に隣り合う２面を１組とし左右対称にして合計１２面形成される。これらの平面はそれぞれ、当該各平面と水平面との間のなす角度θ２が６２度で傾斜される。また、これらの平面はそれぞれ、相互に隣り合う各辺のなす挟み角が５つあり、５つの挟み角はそれぞれ、第２段の平面の各第３の辺に対応する各第１の辺と当該各第１の辺から下方向に延びる各第２の辺とのなす挟み角の一方の角度β１＝７９．１６度、他方の角度β２＝１１５．１８度、各第２の辺と当該各第２の辺から下方に延びる各第３の各辺とのなす挟み角の角度β３＝β４＝１１２．５５度、各第３の辺のなす挟み角の角度β５＝１２０．５７度になっている。これらの平面は指と接触するときのサブ接触面で、このユニットが他のユニット１０に斜めに積み重ねる場合に使用される。
第４段は第３段の各平面の下で第５段に形成される各平面の上に、六辺形の平面が合計１２面形成される。これらの平面はそれぞれ、当該各平面と水平面との間のなす角度θ３が９０度に傾斜される。また、これらの平面はそれぞれ、相互に隣り合う各辺のなす挟み角が６つあり、６つの挟み角はそれぞれ、第３段の平面の各第３の辺に対応する各第１の辺のなす挟み角の角度γ１＝１２８．０８度、各第１の辺と当該各第１の辺から下方に延びる各第２の各辺とのなす挟み角、及び各第２の辺と当該各第２の辺から下方に延びる各第３の各辺とのなす挟み角の角度γ２＝γ３＝γ４＝γ５＝１１５．９６度、各第３の辺のなす挟み角の角度γ６＝１２８．０８度になっている。これらの平面は指と接触するときの主たる接触面として使用される。
第５段は第４段の各平面の下で第６段に形成される各平面の上に、第３段の各平面と同じ形状の五辺形の平面が第３段の各平面と上下対称に合計１２面形成される。なお、これらの平面と水平面との間のなす角度θ２、これらの平面の相互に隣り合う各辺のなす５つの挟み角の各角度β１〜β５は第３段の各平面と同様で、既述のとおりであり、これらの平面は指と接触するときのサブ接触面で、このユニットが他のユニット１０に斜めに積み重ねる場合に使用されることも第３段の各平面と同様である。
第６段は第５段の各平面の下で第７段に形成される平面の上に、第２段の各平面と同じ形状の五辺形の平面が第２段の各平面と上下対称に合計６面形成される。なお、これらの平面と水平面との間のなす角度θ１、これらの平面の相互に隣り合う各辺のなす５つの挟み角の各角度α１〜α５は第２段の各平面と同様で、既述のとおりであり、これらの平面はこのユニットが他のユニット１０と接触する場合の、主たる接触面として使用されることも第２段の各平面と同様である。
第７段は底部で、第６段の各平面の下に、六辺形の平面が１面だけ形成される。この平面は頂部の平面と同じ形状で平行の水平面をなし、頂部の平面と同様に、相互に隣り合う各辺のなす挟み角が６つあり、６つの挟み角の角度はそれぞれ１２０度、すなわちδ１＝δ２＝δ３＝δ４＝δ５＝δ６＝１２０度になっている。この平面はこのユニットが平面上に置かれる場合の、接触面として使用されることも頂部の平面と同様である。
【００１１】
積み木セットは、図１に示すように、１２個の形態の異なる積み木Ａ〜Ｌを備える。これらの積み木Ａ〜Ｌはそれぞれ、４箇又は５個のユニット１０からなり、隣り合う各ユニット１０の間は短い首形状のつなぎ部（以下、ショートネックという。）１１によりつなぎ合わされる。これらの積み木Ａ〜Ｌ全部で合計５６個のユニット１０がある。
なお、このユニット１０はプラスチック材料により製作されるため、型から取り外された後、その接合線でのバリを防止し、また各ユニット間の寸法誤差により各ユニットの積み重ねがきつくならないように、各ユニット間に許容寸法値を持たせる必要がある。この場合、誤差値はユニット１０の外径の１パーセントより大きく、その２パーセントより小さい方がよい。例えば、図４に示すように、ユニット１０の外径Ｓ２を１０ｍｍ、２個のユニットの中心間距離Ｓ１を１０ｍｍにする場合、ユニット１０の半径が０．１ｍｍ縮小すると、２個のユニット１０間にギャップ（誤差値）が０．２ｍｍ生じ、このギャップは実は０．１ｍｍより大きく、０．２ｍｍより小さい方がよい。実物のギャップはショートネック１１でつながるようになる。
【００１２】
この積み木セットは第１積み木セット１０ａと第２積み木セット１０ｂとにより構成される。図１の上半面に第１積み木セットを示している。第１積み木セット１０ａは７個の積み木Ａ〜Ｇで、いずれも５個のユニット１０からなる。図１の下半面に第２積み木セットを示している。第２積み木セット１０ｂは５個の積み木Ｈ〜Ｌで、積み木Ｈは５個のユニット１０からなり、積み木Ｉ〜Ｌは４個のユニット１０からなる。
【００１３】
これらの積み木Ａ〜Ｌはそれぞれ、図２及び図３に示すように、直線的に連結された２個乃至４箇のユニット１０のいずれかに残りのユニット１０が、当該直線的に連結された２個乃至４箇のユニット１０の中心を通る直線に対して所定の方向に所定の角度（以下、挟み角という。）で斜めに連結される。
（積み木Ａ）
積み木Ａは５個のユニットからなり、第１ユニットａ１〜第３ユニットａ３はそれぞれ左から右に向けて順に直線状に連結され、残りの第４ユニットａ４は左端の第１ユニットａ１に対して左斜め上方に挟み角６０度（すなわち、３箇のユニットａ１〜ａ３の中心を通る直線上のユニットａ１側の延長線と１個のユニットａ１及び１個のユニットａ４の中心を通る直線とのなす角度が６０度）に斜めに連結され、残りの第５ユニットａ５は中間の第２ユニットａ２と右端の第３ユニットａ３の間の下方、すなわち中間の第２ユニットａ２に対して右斜め下方に挟み角６０度（すなわち、３箇のユニットａ１〜ａ３の中心を通る直線上のユニットａ３側の延長線と１個のユニットａ２及び１個のユニットａ５の中心を通る直線とのなす角度が６０度）に斜めに連結される。
（積み木Ｂ）
積み木Ｂは５個のユニットからなり、第１ユニットｂ１〜第３ユニットｂ３はそれぞれ左から右に向けて順に直線状に連結され、残りの第４ユニットｂ４、第５ユニットｂ５はそれぞれ左から右に向けて順に直線状に連結され、かつ第４ユニットｂ４は左端の第１ユニットｂ１に対して左斜め上方に挟み角６０度（すなわち、３箇のユニットｂ１〜ｂ３の中心を通る直線上のユニットｂ１側の延長線と１個のユニットｂ１及び１個のユニットｂ４の中心を通る直線とのなす角度が６０度）に斜めに、第５ユニットｂ５は中間の第２ユニットｂ２と左端の第１ユニットｂ１の間の上方、すなわち中間の第２ユニットｂ２に対して左斜め上方に挟み角６０度（すなわち、３箇のユニットｂ１〜ｂ３の中心を通る直線上のユニットｂ１側の延長線と１個のユニットｂ２及び１個のユニットｂ５の中心を通る直線とのなす角度が６０度）に斜めにそれぞれ連結される。この場合、第１ユニットｂ１〜第３ユニットｂ３と第４ユニットｂ４、第５ユニットｂ５は相互に平行になる。
（積み木Ｃ）
積み木Ｃは５個のユニットからなり、第１ユニットｃ１〜第３ユニットｃ３はそれぞれ左から右に向けて順に直線状に連結され、残りの第４ユニットｃ４、第５ユニットｃ５はそれぞれ直線状に連結され、かつ第４ユニットｂ４は右端の第３ユニットｃ３に対して右斜め上方に挟み角６０度（すなわち、３箇のユニットｃ１〜ｃ３の中心を通る直線上のユニットｃ３側の延長線と１個のユニットｃ３及び１個のユニットｃ４の中心を通る直線とのなす角度が６０度）に斜めに、第５ユニットｃ５は当該第４ユニットｃ４に対して右斜め上方に挟み角６０度（すなわち、３箇のユニットｃ１〜ｃ３の中心を通る直線上のユニットｃ３側の延長線と第３ユニットｃ３〜第５ユニットｃ５の中心を通る直線とのなす角度が６０度）に斜めにそれぞれ連結される。
（積み木Ｄ）
積み木Ｄは５個のユニットからなり、第１ユニットｄ１〜第４ユニットｄ４はそれぞれ左から右に向けて順に直線状に連結され、残りの第５ユニットｄ５は右側の第３ユニットｄ３と第４ユニットｄ４の間の上方、すなわち右端の第４ユニットｄ４に対して左斜め上方に挟み角６０度（すなわち、４箇のユニットｄ１〜ｄ４の中心を通る直線上のユニットｄ１側の延長線と１個のユニットｄ４及び１個のユニットｄ５の中心を通る直線とのなす角度が６０度）に斜めに連結される。
（積み木Ｅ）
積み木Ｅは５個のユニットからなり、第１ユニットｅ１〜第３ユニットｅ３はそれぞれ左から右に向けて順に直線状に連結され、残りの第４ユニットｅ４、第５ユニットｅ５はそれぞれ左から右に向けて順に直線状に連結され、かつ第４ユニットｅ４は左端の第１ユニットｅ１と中間の第２ユニットｅ２の間の上方、すなわち中間の第２ユニットｅ２に対して左斜め上方に挟み角６０度（すなわち、３箇のユニットｅ１〜ｅ３の中心を通る直線上のユニットｅ１側の延長線と１個のユニットｅ２及び１個のユニットｅ４の中心を通る直線とのなす角度が６０度）に斜めに、第５ユニットｅ５は中間の第２ユニットｅ２と右端の第３ユニットｅ３の間の上方、すなわち右端の第３ユニットｅ３に対して左斜め上方に挟み角６０度（すなわち、３箇のユニットｅ１〜ｅ３の中心を通る直線上のユニットｅ３側の延長線と１個のユニットｅ３及び１個のユニットｅ５の中心を通る直線とのなす角度が６０度）に斜めにそれぞれ連結される。この場合、第１ユニットｅ１〜第３ユニットｅ３と第４ユニットｅ４、第５ユニットｅ５は相互に平行になる。
（積み木Ｆ）
積み木Ｆは５個のユニットからなり、第１ユニットｆ１〜第４ユニットｆ４はそれぞれ左から右に向けて順に直線状に連結され、残りの第５ユニットｆ５は中間の第２ユニットｆ２と第３ユニットｆ３の間の上方、すなわち中間の第４ユニットｆ３に対して左斜め上方に挟み角６０度（すなわち、４箇のユニットｆ１〜ｆ４の中心を通る直線上のユニットｆ１側の延長線と１個のユニットｆ３及び１個のユニットｆ５の中心を通る直線とのなす角度が６０度）に斜めに連結される。
（積み木Ｇ）
積み木Ｇは５個のユニットからなり、第１ユニットｇ１〜第３ユニットｇ３はそれぞれ左から右に向けて順に直線状に連結され、残りの第４ユニットｇ４は左端の第１ユニットｇ１と中間の第２ユニットｇ２の間の上方、すなわち中間の第２ユニットｇ２に対して左斜め上方に挟み角６０度（すなわち、３箇のユニットｇ１〜ｇ３の中心を通る直線上のユニットｇ１側の延長線と１個のユニットｇ２及び１個のユニットｇ４の中心を通る直線とのなす角度が６０度）に斜めに連結され、残りの第５ユニットａ５は右端の第３ユニットｇ３に対して右斜め上方に挟み角６０度（すなわち、３箇のユニットｇ１〜ｇ３の中心を通る直線上のユニットｇ３側の延長線と１個のユニットｇ３及び１個のユニットｇ５の中心を通る直線とのなす角度が６０度）に斜めに連結される。この場合、第１ユニットｇ１〜第３ユニットｇ３と第４ユニットｇ４、第５ユニットｇ５は相互に平行になる。
（積み木Ｈ）
積み木Ｈは５個のユニットからなり、第１ユニットｈ１〜第３ユニットｈ３はそれぞれ左から右に向けて順に直線状に連結され、残りの第４ユニットｈ４、第５ユニットｈ５はそれぞれ直線状に連結され、かつ第４ユニットｈ４は中間の第２ユニットｈ２と右端の第３ユニットｈ３の間の上方、すなわち右端の第３ユニットｈ３に対して左斜め上方に挟み角６０度（すなわち、３箇のユニットｈ１〜ｈ３の中心を通る直線上のユニットｈ１側の延長線と１個のユニットｈ３及び１個のユニットｈ４の中心を通る直線とのなす角度が６０度）に斜めに、第５ユニットｈ５は当該第４ユニットｈ４に対して左斜め上方に挟み角６０度（すなわち、３箇のユニットｈ１〜ｈ３の中心を通る直線上のユニットｈ１側の延長線と第３ユニットｈ３〜第５ユニットｈ５の中心を通る直線とのなす角度が６０度）に斜めにそれぞれ連結される。
（積み木Ｉ）
積み木Ｉは４個のユニットからなり、第１ユニットｉ１〜第３ユニットｉ３はそれぞれ左から右に向けて順に直線状に連結され、残りの第４ユニットｉ４は右端の第３ユニットｉ３に対して右斜め上方に挟み角６０度（すなわち、３箇のユニットｉ１〜ｉ３の中心を通る直線上のユニットｉ３側の延長線と１個のユニットｉ３及び１個のユニットｉ４の中心を通る直線とのなす角度が６０度）に斜めに連結される。
（積み木Ｊ）
積み木Ｊは４個のユニットからなり、第１ユニットｊ１、第２ユニットｊ２はそれぞれ左から右に向けて順に直線状に連結され、残りの第３ユニットｊ３、第４ユニットｊ４はそれぞれ直線状に連結され、かつ第３ユニットｊ３は右端の第２ユニットｃ２に対して右斜め上方に挟み角６０度（すなわち、２箇のユニットｊ１、ｊ２の中心を通る直線上のユニットｊ２側の延長線と１個のユニットｊ２及び１個のユニットｊ３の中心を通る直線とのなす角度が６０度）に斜めに、第４ユニットｊ４は当該第３ユニットｊ３に対して右側に直線的にそれぞれ連結される。この場合、第１ユニットｊ１、第２ユニットｊ２と第３ユニットｊ３、第４ユニットｊ４は相互に平行になる。
（積み木Ｋ）
積み木Ｋは４個のユニットからなり、第１ユニットｋ１、第２ユニットｋ２はそれぞれ左から右に向けて順に直線状に連結され、残りの第３ユニットｋ３、第４ユニットｋ４はそれぞれ左から右に向けて順に直線状に連結され、かつ第３ユニットｋ３は左端の第１ユニットｋ１と右端の第２ユニットｋ２の間の上方、すなわち左端の第１ユニットｋ１に対して右斜め上方に挟み角６０度（すなわち、２箇のユニットｋ１、ｋ２の中心を通る直線上のユニットｋ２側の延長線と１個のユニットｋ１及び１個のユニットｋ３の中心を通る直線とのなす角度が６０度）に斜めに、第４ユニットｋ４は右端の第２ユニットｋ２に対して右斜め上方に挟み角６０度（すなわち、２箇のユニットｋ１、ｋ２の中心を通る直線上のユニットｋ２側の延長線と１個のユニットｋ２及び１個のユニットｋ４の中心を通る直線とのなす角度が６０度）に斜めにそれぞれ連結される。この場合、第１ユニットｋ１、第２ユニットｋ２と第３ユニットｋ３、第４ユニットｋ４は相互に平行になる。
（積み木Ｌ）
積み木Ｌは４個のユニットからなり、第１ユニットｌ１〜第３ユニットｌ３はそれぞれ左から右に向けて順に直線状に連結され、残りの第４ユニットｌ４は中間の第２ユニットｌ２と右端の第３ユニットｌ３の間の上方、すなわち右端の第３ユニットｌ３に対して左斜め上方に挟み角６０度（すなわち、３箇のユニットｌ１〜ｌ３の中心を通る直線上のユニットｌ３側の延長線と１個のユニットｌ３及び１個のユニットｌ４の中心を通る直線とのなす角度が６０度）に斜めにそれぞれ連結される。
【００１４】
図６乃至図８にこれら１２個の積み木Ａ〜Ｌを積み重ねて作られた四面三角錐体を示している。この四面三角錐体は三角形の底面の三辺がそれぞれ６個のユニットからなり、合計６段の構成になっている。この四面三角錐体の各段のユニットの数を図９及び図１０に示している。上から下に順に見ていくと、第１段は１個のユニット、第２段は３個のユニット、第３段は６個のユニット、第４段は１０個のユニット、第５段は１５個のユニット、第６段は２１個のユニット、合計５６個のユニットで構成される。なお、これら図９及び図１０により、６段構成の積み木の組み合わせを２例、示したが、その組み合わせはこの２例に限られるものではなく、他の組み合わせもあるが、ここではその説明を省略する。
【００１５】
このような立体形状に１２個の積み木Ａ〜Ｌを素早く積み重ねられるように、この積み木セットに第１トレーを備える。図７に第１トレーを示している。図７に示すように、第１トレー２０ａは全体が正三角形に形成され、その上面全体に合計２１個の位置決め孔２１が上面の各辺に沿って正三角形の環形状（外側の環形状２３）に、さらにその内側に正三角形の環形状（内側の環形状２２）に並べて形成される。この場合、外側の環形状２３の３辺にそれぞれ６個の位置決め孔２１が並び、この環形状２３の隣り合う２辺間の挟み角は６０度になる。また、これらの位置決め孔２１は各ユニット１０表面の各面に対応するため、各位置決め孔２１の内面にユニット１０の第１段、第２段、第３段の各面、又は第７段、第６段、第５段の各面に対応する第１段〜第３段からなる合計１９の面が形成される。この場合、第１段は底部面の１面だけで、ユニット１０の第１段又は第７段の平面に対応する六角形の平面（水平面）に形成され、ユニット１０の第１段又は第７段の平面と同様に６つの各挟み角が１２０度になる。第２段は第１段の平面の上で第３段に形成される各平面の下に、ユニット１０の第２段又は第６段の各平面に対応する五辺形の平面で合計６面形成され、ユニット１０の第２段又は第６段の各平面と同様に、当該各平面と水平面との間のなす角度θ１が３５．２５度に傾斜される。第３段は第２段の平面の上で最上段に、ユニット１０の第３段又は第５段の各平面に対応可能な不等辺の四辺形又は三角形の平面で合計１２面形成され、ユニット１０の第３段又は第５段の各平面と同様に、当該各平面と水平面との間のなす角度θ２が６２度に傾斜される。
【００１６】
図１１乃至図１４にこれら１２個の積み木Ａ〜Ｌから第１積み木セット１０ａ、すなわち７個の積み木Ａ〜Ｇを選び、これら７個の積み木Ａ〜Ｇを積み重ねて作られた四面三角錐体を示している。この四面三角錐体は三角形の底面の三辺がそれぞれ５個のユニットからなり、合計５段の構成になっている。この四面三角錐体の各段のユニットの数を図１３及び図１４に示している。上から下に順に見ていくと、上の第１段は１個のユニット、第２段は３個のユニット、第３段は６個のユニット、第４段は１０個のユニット、第５段は１５個のユニット、合計３５個のユニットで構成される。なお、図１３及び図１４により、５段構成の積み木の組み合わせを２例、示したが、その組み合わせはこの２例に限られるものではなく、他の組み合わせもあるが、ここではその説明を省略する。
【００１７】
このような立体形状に７個の積み木Ａ〜Ｇを素早く積み重ねられるように、この積み木セットに既述の第１トレー２０ａを利用することができるが、この７個の積み木Ａ〜Ｇを素早く積み重ねて５段の四面三角錐体を作り上げることができるように、第２トレーが用意されている。図１５乃至図１７に第２トレーを示している。図１５乃至図１７に示すように、第２トレー２０ｂは全体が正三角形に形成され、その上面全体に合計１５個の位置決め孔２１が上面の各辺に沿って正三角形の環形状（外側の環形状２５）に、さらにその内側に正三角形の環形状（内側の環形状２４）に並べて形成される。この場合、外側の環形状２５の３辺にそれぞれ５個の位置決め孔２１が並び、この環形状の隣り合う２辺間の挟み角は６０度になる。また、これらの位置決め孔２１は各ユニット１０表面の各面に対応するため、各位置決め孔２１の内面に、第１トレー２１ａと同様に、ユニット１０の第１段、第２段、第３段の各面、又は第７段、第６段、第５段の各面に対応する第１段〜第３段からなる合計１９の面が形成される。なお、これら１９の面については既に説明しているので、ここではその重複した説明を省略する。
【００１８】
図１８、図１９及び図２０にこの積み木の作用を示している。
図１８に示すように、ユニット１０をユニット１０とユニット１０の間に積み重ねていくと、主にユニット１０の第２段、第６段の各面の面と面の接触になるため、各ユニット１０は安定して積み重ねられ、また、ユニット１０の頂部、すなわち第１段の面と、底部、すなわち第７段の面はいずれも水平面で、トレー又はこのユニット１０を置く平面上に面と面の接触で設置され、簡単に滑り動くことがなく、トレーがなくても安定して設置され、その上に他のユニット１０を簡単に積み重ねていくことができる。
図１９に示すように、ユニット１０を上下に積み重ねていくと、２個又は３個のユニットが面と面の接触で組み合わされ、安定性がよい。
図２０に示すように、積み木をトレーを使って積み重ねる場合、ユニット１０の第２段、第６段の各面による位置決め作用により、積み木をトレーの位置決め孔２１に斜めに立てることができ、このような位置決め機能をプレーヤに提供することができる。なお、従来の球体積み木はこのような位置決め機能がなく、斜めに立てることができない。
【００１９】
以上説明したように、この積み木及び積み木セットによれば、次のような効果を奏する。
（１）この積み木はユニット１０の表面に５０の面を有するので、見た目がよく、積み木を積み重ねるときの安定性に優れている。また、積み木の製作に際して、金型を簡単に作ることができ、コストを低く抑えることができる。
（２）この積み木のユニットの表面に５０の面があることで、この積み木を指先で持つときの積み木と指との摩擦力が上がり、十分な滑り止め効果を得ることができる。
（３）この積み木はユニットをユニットとユニットの間に積み重ねていくと、主にユニットの第２段、第６段の各面の面と面の接触になるため、各ユニットは安定して積み重ねられ、また、ユニットの頂部、すなわち第１段の面と、底部、すなわち第７段の面はいずれも水平面で、トレー又はこのユニットを置く平面上に面と面の接触で設置され、簡単に滑り動くことがなく、トレーがなくても安定して設置されて、その上に他のユニットを簡単かつ確実に積み重ねていくことができる。また、この積み木を第２段又は第６段の各面、さらに第３段又は第５段の各面を用いて面接触により斜めに積み重ねていくことができる。このような積み木の面と面の接触により従来の球体積み木の点接触に比べてその安定度は極めて優れたものになっている。
（４）この積み木セットでは、積み木をトレーを用いることで簡単に積み重ねることができ、また、トレーを用いない場合でも、積み木の有する形状、構造により、積み木を平面上に簡単に、しかも滑り落ちたりすることなく安定的に積み重ねることができる。
（５）この積み木セットでは、１２個の積み木Ａ〜Ｌを積み重ねて６段の四面三角錐体を作ることができ、７個の積み木Ａ〜Ｇを積み重ねて５段の四面三角錐体を作ることができるので、困難度の異なる二種のゲーム機能を提供することができる。
【００２０】
最後に、この積み木（ユニット）の進歩性に優れた点を次の比較表を用いて従来の積み木（ユニット）と比較して説明する。
［比較表］
【表１】
0003167574.tif 000003
【表２】
0003167574.tif 000004
【表３】
0003167574.tif 000005
【符号の説明】
【００２１】
Ａ〜Ｌ  積み木
１０ａ  第１積み木セット
１０ｂ  第２積み木セット
１０  球体ユニット
１１  ショートネック
２０ａ  第１トレー
２０ｂ  第２トレー
２１  位置決め孔
２２  内側の環形状
２３  外側の環形状
２４  内側の環形状
２５  外側の環形状
Ｓ１  中心間距離
Ｓ２  ユニットの外径
θ１、θ２、θ３  挟み角度
ａ１〜ａ５  第１〜第５ユニット
ｂ１〜ｂ５  第１〜第５ユニット
ｃ１〜ｃ５  第１〜第５ユニット
ｄ１〜ｄ５  第１〜第５ユニット
ｅ１〜ｅ５  第１〜第５ユニット
ｆ１〜ｆ５  第１〜第５ユニット
ｇ１〜ｇ５  第１〜第５ユニット
ｈ１〜ｈ５  第１〜第５ユニット
ｉ１〜ｉ４  第１〜第４ユニット
ｊ１〜ｊ４  第１〜第４ユニット
ｋ１〜ｋ４  第１〜第４ユニット
ｌ１〜ｌ４  第１〜第４ユニット
α１、α２、α３、α４、α５  挟み角
β１、β２、β３、β４、β５  挟み角
γ１、γ２、γ３、γ４、γ５  挟み角
δ１、δ２、δ３、δ４、δ５  挟み角
【図１】
0003167574.tif 000006
【図２】
0003167574.tif 000007
【図３】
0003167574.tif 000008
【図４】
0003167574.tif 000009
【図５】
0003167574.tif 000010
【図６】
0003167574.tif 000011
【図７】
0003167574.tif 000012
【図８】
0003167574.tif 000013
【図９】
0003167574.tif 000014
【図１０】
0003167574.tif 000015
【図１１】
0003167574.tif 000016
【図１２】
0003167574.tif 000017
【図１３】
0003167574.tif 000018
【図１４】
0003167574.tif 000019
【図１５】
0003167574.tif 000020
【図１６】
0003167574.tif 000021
【図１７】
0003167574.tif 000022
【図１８】
0003167574.tif 000023
【図１９】
0003167574.tif 000024
【図２０】
0003167574.tif 000025